(57)【要約】【課題】  複数の表示部の一部を選択して有色発光させることができる表示装置および時計を提供する。【解決手段】  紫外線に反応して有色発光する複数の機能表示１５ａが設けられた文字板１２と、この文字板１２の上方に回転可能に配置され、表面に紫外線を遮断する透明な紫外線遮光層１７が、複数の機能表示１５ａの一部に選択的に対応する選択領域１８を除いて設けられた透明な回転板１１と、この透明な回転板１１の上方から文字板１２に向けて紫外線を照射する発光素子２０とを備えている。従って、発光素子２０で紫外線を発光させると、その紫外線が透明な回転板１１の選択領域１８を透過して、複数の機能表示１５ａのうち、選択領域１８に対応する一部の機能表示１５ａのみに紫外線を照射させることができる。【選択図】        図３
2014098641.tif 000002
【特許請求の範囲】
【請求項１】
紫外線に反応して有色発光する複数の表示部が設けられた表示部材と、
この表示部材の上方に回転可能に配置され、表面に紫外線を遮断する透明な紫外線遮光層が、前記複数の表示部の一部に選択的に対応する選択領域を除いて、設けられた透明な回転部材と、
この透明な回転部材の上方から前記表示部材に向けて紫外線を照射する発光素子と、
を備えていることを特徴とする表示装置。
【請求項２】
請求項１に記載の表示装置において、前記透明な紫外線遮光層の上面には、前記選択領域を指示するための指示マークが設けられていることを特徴とする表示装置。
【請求項３】
請求項２に記載の表示装置において、前記複数の表示部は、前記透明な紫外線遮光層の上方から外部光が照射された際に、前記複数の表示部のすべてが前記透明な紫外線遮光層および前記選択領域を通して見えると共に、前記選択領域に対応する表示部が前記指示マークによって指示され、また前記透明な紫外線遮光層の上方から紫外線が照射された際に、前記複数の表示部のうち、前記選択領域に対応する表示部のみが有色発光して見えることを特徴とする表示装置。
【請求項４】
請求項１〜請求項３のいずれかに記載の表示装置において、前記複数の表示部は、前記表示部材の周縁部に沿って設けられた第１表示部と、この第１表示部の領域内における予め定められた領域に設けられた第２表示部とを有し、前記回転部材は前記第２表示部の上方に対応して配置されていることを特徴とする表示装置。
【請求項５】
請求項１〜請求項４に記載の表示装置を備えていることを特徴とする時計。
【請求項６】
請求項５に記載の時計において、前記表示装置の前記表示部材は文字板であり、前記第１表示部は前記文字板の周縁部に沿って設けられた複数の時字であり、前記第２表示部は前記第１表示部の領域内における予め定められた領域に設けられた複数の機能表示であることを特徴とする時計。
【発明の詳細な説明】
【技術分野】
【０００１】
この発明は、時計、携帯電話機、自動車の計器類などの電子機器に用いられる表示装置およびそれを備えた時計に関する。
【背景技術】
【０００２】
例えば、時計においては、特許文献１に記載されているように、文字板および指針に紫外線に反応して有色発光する複数の表示部を設け、この文字板および指針の外周部に紫外線を発光する発光素子を設け、この発光素子で紫外線を発光させて、文字板および指針の複数の表示部に照射させると、複数の表示部がそれぞれ有色発光し、これにより暗い所でも時刻が分かるように構成されたものが知られている。
【先行技術文献】
【特許文献】
【０００３】
【特許文献１】特開２００３−２４８４４７号公報
【発明の概要】
【発明が解決しようとする課題】
【０００４】
しかしながら、このような時計では、発光素子で紫外線を発光させて文字板および指針の複数の表示部に照射させると、複数の表示部のすべてが紫外線に反応して有色発光するため、複数の表示部の一部を選択して有色発光させることができない。このため、すべての表示部が有色発光していると、表示内容が何であるかを判断しなければならないため、表示内容を速やかに知ることができないという問題がある。
【０００５】
この発明が解決しようとする課題は、複数の表示部の一部を選択して有色発光させることができる表示装置および時計を提供することである。
【課題を解決するための手段】
【０００６】
この発明は、紫外線に反応して有色発光する複数の表示部が設けられた表示部材と、この表示部材の上方に回転可能に配置され、表面に紫外線を遮断する透明な紫外線遮光層が、前記複数の表示部の一部に選択的に対応する選択領域を除いて、設けられた透明な回転部材と、この透明な回転部材の上方から前記表示部材に向けて紫外線を照射する発光素子とを備えていることを特徴とする表示装置である。
【発明の効果】
【０００７】
この発明によれば、発光素子で紫外線を発光させると、その紫外線が透明な回転部材の選択領域を透過して、複数の表示部のうちの一部の表示部のみに紫外線を照射させることができるので、複数の表示部の一部を選択して有色発光させることができる。
【図面の簡単な説明】
【０００８】
【図１】この発明を腕時計に適用した一実施形態を示した要部の拡大断面図である。
【図２】図１に示された腕時計の時計モジュールを示した拡大平面図である。
【図３】図２に示された時計モジュールの機能表示部を分解して示し、（ａ）はその機能表示部の機能表示領域に複数の機能表示が設けられた文字板を示した拡大平面図、（ｂ）はその機能表示部の透明な回転板を示した拡大平面図である。
【図４】図３（ｂ）に示された透明な回転板のＡ−Ａ矢視における拡大断面図である。
【図５】図２に示された時計モジュールの機能表示部を示し、（ａ）はその機能表示部に外部光が照射された際の表示状態を示した拡大平面図、（ｂ）はその機能表示部に紫外線が照射された際の表示状態を示した拡大平面図である。
【発明を実施するための形態】
【０００９】
以下、図１〜図５を参照して、この発明を指針式の腕時計に適用した一実施形態について説明する。
この腕時計は、図１に示すように、腕時計ケース１を備えている。この腕時計ケース１の上部開口部には、時計ガラス２が設けられており、この腕時計ケース１の下部には、裏蓋３が取り付けられている。
【００１０】
また、この腕時計ケース１の内部には、図１に示すように、時計モジュール４が設けられている。この時計モジュール４は、図１および図２に示すように、時刻を指示表示する第１表示装置である時刻表示部５と、複数の機能を表示する第２表示装置である機能表示部６とを備えている。この場合、時計モジュール４は、図１に示すように、腕時計ケース１内に配置されるハウジング７と、このハウジング７内に組み込まれた時計ムーブメント８とを備えている。
【００１１】
時計ムーブメント８は、図１および図２に示すように、時刻表示部５の後述する指針１０を運針させると共に、機能表示部６の後述する透明な回転板１１を回転させるように構成されている。第１表示装置である時刻表示部５は、ハウジング７上に配置された文字板１２と、時計ムーブメント８によって回転する指針軸１３と、この指針軸１３によって文字板１２の上方を運針する指針１０とを備えている。
【００１２】
この場合、文字板１２の上面には、図２に示すように、第１表示部である複数の時字１４が周縁部に沿って設けられている。また、この文字板１２のほぼ中心部には、指針軸１３が挿入する貫通孔１２ａが設けられている。指針軸１３は、時針車（筒車）の時針軸１３ａ、分針車（２番車）の分針軸１３ｂ、秒針車（４番車）の秒針軸１３ｃを有し、これらが同一軸上に配置された状態で、時計ムーブメント８に組み付けられている。
【００１３】
また、この指針軸１３は、図１および図２に示すように、文字板１２の貫通孔１２ａを通して文字板１２の上方に突出し、この状態で時計ムーブメント８によって回転するように構成されている。指針１０は、時針１０ａ、分針１０ｂ、秒針１０ｃを有し、それぞれ文字板１２の上方に突出した指針軸１３の上部にそれぞれ取り付けられている。すなわち、時針１０ａは時針軸１３ａの上端部に取り付けられ、分針１０ｂは分針軸１３ｂの上端部に取り付けられ、秒針１０ｃは秒針軸１３ｃの上端部に取り付けられている。
【００１４】
一方、第２表示装置である機能表示部６は、図１〜図４に示すように、ハウジング７上に配置された文字板１２の上面に設けられた機能表示領域１５と、時計ムーブメント８によって回転する回転支持軸１６と、この回転支持軸１６によって文字板１２の機能表示領域１５の上方に位置して回転する透明な回転板１１とを備えている。機能表示領域１５は、図３（ａ）に示すように、文字板１２の６時側に位置する個所に円形状に設けられている。
【００１５】
この機能表示領域１５には、図３（ａ）に示すように、サマータイム（ＤＳT）、アラーム（ＡＬM）、電波受信不能マーク、時報（ＳＩＧ）などの第２表示部である複数の機能表示１５ａが環状に沿って配列された状態で設けられている。回転支持軸１６は、図１〜図３に示すように、機能表示領域１５の中心部に位置する個所の文字板１２に設けられた貫通孔１２ｂを通して文字板１２の上方に突出し、この状態で時計ムーブメント８によって回転するように構成されている。
【００１６】
また、透明な回転板１１は、図１〜図４に示すように、透明な合成樹脂からなる円板であり、その大きさが機能表示領域１５とほぼ同じ大きさに形成されている。この透明な回転板１１は、その回転中心が文字板１２の上方に突出した回転支持軸１６の上端部に取り付けられ、この回転支持軸１６の回転に伴って機能表示領域１５の上方で回転するように構成されている。
【００１７】
ところで、時刻表示部５の第１表示部である複数の時字１４と、機能表示部６の機能表示領域１５に設けられた第２表示部である複数の機能表示１５ａとは、図２および図３に示すように、紫外線に反応して有色発光するように構成されている。すなわち、複数の時字１４と複数の機能表示１５ａとは、紫外線に反応する蛍光体を含有したインクを文字板１２の上面に印刷することによって設けられている。
【００１８】
これにより、複数の時字１４と複数の機能表示１５ａとは、図２および図３（ａ）に示すように、外部光が照射されると、その照射された外部光によって見えると共に、紫外線が照射されても、図２および図３（ａ）に示すように、その照射された紫外線に蛍光体が反応して有色発光するように構成されている。
【００１９】
この場合、機能表示部６の透明な回転板１１は、図２〜図５に示すように、その表面に紫外線を遮断する透明な紫外線遮光層１７が、複数の機能表示１５ａのいずれかの機能表示１５ａに選択的に対応する選択領域１８を除いて、設けられた構成になっている。すなわち、透明な紫外線遮光層１７は、紫外線を遮断し、かつ紫外線を除く他の波長の光を透過する膜であり、図４に示すように、回転板１１の上面に蒸着または印刷によって形成されている。
【００２０】
これにより、透明な紫外線遮光層１７は、図２に示すように、その上方から紫外線が照射されると、図５（ｂ）に示すように、その紫外線を遮断することにより、透明な回転板１１の下側に位置する複数の機能表示１５ａに対して紫外線を照射させず、複数の機能表示１５ａを発光させないように構成されている。
【００２１】
また、この透明な紫外線遮光層１７は、図２および図５（ａ）に示すように、その上方から外部光が照射されると、その外部光における紫外線を除く他の波長の光を透過することにより、透明な回転板１１の下側に位置する複数の機能表示１５ａに対して紫外線を除く他の波長の光を照射させ、この照射された光によって複数の機能表示１５ａが透明な回転板１１および透明な紫外線遮光層１７を通して、その上方から見えるように構成されている。
【００２２】
この場合、透明な回転板１１の表面には、図３〜図５に示すように、透明な紫外線遮光層１７が形成されていない個所が、複数の機能表示１５ａのいずれかに選択的に対応する選択領域１８として形成されている。この選択領域１８は、紫外線を含むすべての光を透過する光透過領域に形成されている。また、この選択領域１８は、複数の機能表示１５ａのいずれかに選択的に対応する大きさに形成されている。
【００２３】
これにより、選択領域１８は、図３〜図５に示すように、その上方から紫外線が照射されると、その紫外線を透過することにより、透明な回転板１１の下側に位置する複数の機能表示１５ａのうち、選択領域１８に対応する機能表示１５ａのみに紫外線を照射させて、選択領域１８に対応する機能表示１５ａのみを有色発光させるように構成されている。
【００２４】
また、この選択領域１８は、図３〜図５に示すように、その上方から紫外線を除く他の波長の光が照射されると、その光を透過することにより、透明な回転板１１の下側に位置する複数の機能表示１５ａのうち、選択領域１８に対応する機能表示１５ａに紫外線を除く他の波長の光を照射させ、この照射された光によって選択領域１８に対応する機能表示１５ａが透明な回転板１１を通して、その上方から見えるように構成されている。
【００２５】
この場合、透明な紫外線遮光層１７の上面には、図２〜図５に示すように、選択領域１８を指示するための指示マーク１９が設けられている。この指示マーク１９は、複数の時字１４および複数の機能表示１５ａと同様、紫外線に反応する蛍光体を含有したインクによって透明な紫外線遮光層１７上に印刷されている。
【００２６】
これにより、指示マーク１９は、紫外線が照射された際に有色発光して見えると共に、紫外線以外の波長の光が照射された際にも見るように構成されている。このため、この指示マーク１９は、図２〜図５に示すように、紫外線遮光層１７および選択領域１８が透明であっても、また透明な回転板１１が回転しても、選択領域１８が何処にあるかを指示するように構成されている。
【００２７】
ところで、腕時計ケース１の内周部には、図１に示すように、文字板１２および回転板１１に紫外線を照射するための発光素子２０が設けられている。この場合、ハウジング７上に配置された文字板１２の上面には、見切り部材２１が腕時計ケース１の内周面に沿って設けられている。この見切り部材２１には、発光素子２０が配置される素子収納部２２が、腕時計ケース１内に向けて開放された状態で設けられている。
【００２８】
この場合、素子収納部２２は、見切り部材２１の複数個所、例えば文字板１２における２時側、６時側、９時側の複数個所に設けられていることが好ましい。これにより、発光素子２０は、図１に示すように、見切り部材２１の複数の素子収納部２２内にそれぞれ配置され、この状態で紫外線を発光し、この発光した紫外線を回転板１１の上面および文字板１２の上面に向けて３方向から照射させるように構成されている。
【００２９】
次に、このような腕時計の作用について説明する。
通常は、腕時計ケース１の時計ガラス２を通して外部光が腕時計ケース１内に入射し、この入射した外部光が文字板１２の上面および透明な回転板１１の上面に照射される。このときには、文字板１２の上面に設けられた第１表示部である複数の時字１４が、照射された外部光によって時計ガラス２を通して腕時計ケース１の外部から見える。
【００３０】
また、透明な回転板１１の上面に照射された外部光は、回転板１１の上面に設けられた透明な紫外線遮光層１７および透明な選択領域１８を通して、透明な回転板１１の下側に位置する機能表示領域１５の第２表示部である複数の機能表示１５ａのすべてに照射される。このため、図２および図５（ａ）に示すように、複数の機能表示１５ａのすべてが、照射された外部光によって透明な回転板１１、透明な紫外線遮光層１７、透明な選択領域１８、および時計ガラス２を通して、腕時計ケース１の外部から見える。
【００３１】
このときには、透明な回転板１１の紫外線遮光層１７上に指示マーク１９が設けられていることにより、この指示マーク１９にも外部光が照射されるので、この指示マーク１９が時計ガラス２を通して腕時計ケース１の外部から見える。このため、この指示マーク１９によって複数の機能表示１５ａのいずれかの機能表示１５ａ、例えばサマータイム（ＤＳＴ）が指示される。
【００３２】
すなわち、この指示マーク１９は、透明な回転板１１上に設けられた透明な選択領域１８を指示していることにより、この透明な選択領域１８に対応している機能表示１５ａ、例えばサマータイム（ＤＳＴ）が指示される。これにより、腕時計の現在のモードがサマータイムモードであることを判断することができ、通常の腕時計と同様に使用することができる。この場合、透明な回転板１１が回転して、指示マーク１９が複数の機能表示１５ａのうち、例えば、アラーム（ＡＬＭ）の機能表示１５ａを指示しているときには、腕時計のモードがアラーム（ＡＬＭ）モードであることが分かる。
【００３３】
一方、暗い所などで発光素子２０を発光させると、発光素子２０で発光した紫外線が文字板１２および透明な回転板１１の各上面に照射される。このときには、文字板１２の上面に設けられた第１表示部である複数の時字１４のすべてが紫外線に反応して有色発光するので、この有色発光した複数の時字１４のすべてが時計ガラス２を通して腕時計ケース１の外部から見える。
【００３４】
また、透明な回転板１１の上面に照射された紫外線は、回転板１１上の透明な紫外線遮光層１７によって遮断されるが、透明な回転板１１上の選択領域１８に照射された紫外線は、この選択領域１８を透過して、その下側に位置して対応する機能表示１５ａのみに照射される。すなわち、透明な紫外線遮光層１７に照射された紫外線は、透明な紫外線遮光層１７によって遮断されるので、透明な回転板１１の下側に位置して紫外線遮光層１７に対応する複数の機能表示１５ａに紫外線が照射されず、この複数の機能表示１５ａが有色発光することはない。
【００３５】
しかし、透明な選択領域１８に照射された紫外線は、この透明な選択領域１８および透明な回転板１１を透過して、その下側に位置して選択領域１８に対応する機能表示１５ａ、例えば図５（ｂ）に示すサマータイム（ＤＳＴ）に照射されるので、このサマータイム（ＤＳＴ）の機能表示１５ａが有色発光する。この有色発光したサマータイム（ＤＳＴ）の機能表示１５ａは、透明な回転板１１、透明な選択領域１８、および時計ガラス２を通して腕時計ケース１の外部から見える。
【００３６】
このときには、透明な回転板１１の紫外線遮光層１７上に設けられた指示マーク１９にも、紫外線が照射されるので、この指示マーク１９も有色発光し、この有色発光した指示マーク１９が時計ガラス２を通して腕時計ケース１の外部から見える。これにより、複数の機能表示１５ａのうち、紫外線が照射されて有色発光した機能表示１５ａが指示マーク１９によって指示されることにより、腕時計が有色発光した機能表示１５ａの機能、例えばサマータイム（ＤＳＴ）機能であることが分かる。
【００３７】
この場合、透明な回転板１１が回転して、指示マーク１９が複数の機能表示１５ａのうち、例えば、アラーム（ＡＬＭ）の機能表示１５ａを指示している状態のときには、発光素子２０で発光した紫外線が選択領域１８および透明な回転板１１を透過して、その下側に位置して選択領域１８に対応する機能表示１５ａのアラーム（ＡＬＭ）に照射される。
【００３８】
すると、アラーム（ＡＬＭ）の機能表示１５ａが紫外線に反応して有色発光し、この有色発光したアラーム（ＡＬＭ）の機能表示１５ａが、透明な回転板１１、透明な選択領域１８、および時計ガラス２を通して、腕時計ケース１の外部から見える。これにより、腕時計が有色発光した機能表示１５ａの機能、例えばアラーム（ＡＬＭ）機能であることが分かる。
【００３９】
このように、この腕時計によれば、紫外線に反応して有色発光する複数の機能表示１５ａが設けられた文字板１２と、この文字板１２の上方に回転可能に配置され、表面に紫外線を遮断する透明な紫外線遮光層１７が、複数の機能表示１５ａの一部に選択的に対応する選択領域１８を除いて、設けられた透明な回転板１１と、この透明な回転板１１の上方から文字板１２に向けて紫外線を照射する発光素子２０とを備えていることにより、複数の機能表示１５ａのうちの一部を選択して有色発光させることができる。
【００４０】
すなわち、この腕時計では、発光素子２０で紫外線を発光させると、この紫外線が透明な回転板１１の選択領域１８のみを透過して、複数の機能表示１５ａのうち、選択領域１８に対応する一部の機能表示１５ａのみに紫外線を照射させることができるので、複数の機能表示１５ａのうち、一部の機能表示１５ａのみを選択して有色発光させることができる。これにより、暗い所などで選択されている機能を速やかに知ることができるので、使い勝手が良い。
【００４１】
この場合、外部光が透明な回転板１１の上方から照射された際には、その外部光が透明な紫外線遮光層１７および選択領域１８を透過して透明な回転板１１の下側に位置する複数の機能表示１５ａのすべてに照射されるので、この照射された外部光によって複数の機能表示１５ａのすべてを透明な回転板１１の上方から見ることができ、これにより通常の腕時計として良好に使用することができる。
【００４２】
また、この腕時計では、透明な回転板１１上に設けられた透明な紫外線遮光層１７の上面に、選択領域１８を指示するための指示マーク１９が設けられていることにより、この指示マーク１９によって複数の機能表示１５ａのうちのいずれかを指示することができ、これにより現在使用している機能を知ることができる。
【００４３】
すなわち、外部光が透明な回転板１１の上方から照射された際には、その外部光によって透明な回転板１１の下側に位置する複数の機能表示１５ａのすべてが透明な回転板１１の上方から見えても、現在使用している機能が複数の機能表示１５ａのいずれであるかを指示マーク１９によって指示することができ、これにより現在使用している機能が複数の機能表示１５ａのいずれであるかを容易に知ることができる。
【００４４】
この場合、指示マーク１９は、複数の機能表示１５ａと同様、紫外線に反応して有色発光する構成であることにより、発光素子２０で発光した紫外線が照射されると、有色発光して選択領域１８を指示することができ、この指示マーク１９の有色発光と、複数の機能表示１５ａのうち、選択領域１８に対応する一部の機能表示１５ａの有色発光とにより、現在使用している機能を、より一層、容易にかつ正確に知ることができる。
【００４５】
また、この腕時計では、文字板１２の上面に、その周縁部に沿って設けた第１表示部である複数の時字１４と、この複数の時字１４の領域内における６時側に位置する個所の機能表示領域１５に設けられた第２表示部である複数の機能表示１５ａとを有し、透明な回転板１１が第２表示部である複数の機能表示１５ａの上方に対応して配置されていることにより、第１表示部である複数の時字１４によって時刻を知ることができると共に、第２表示部である複数の機能表示１５ａによって、いずれの機能が選択されているかを知ることができる。
【００４６】
なお、上述した実施形態では、指示マーク１９を紫外線に反応して有色発光するように形成した場合について述べたが、これに限らず、例えば普通のインク、つまり紫外線に反応して発光する蛍光体を含有しないインクによって形成しても良い。
【００４７】
このように構成すれば、外部光が照射された際に、複数の機能表示１５ａのすべてが透明な紫外線遮光層１７および選択領域１８を通して上方から見えると共に、選択領域１８に対応する機能表示部１５ａが指示マーク１９によって指示され、また紫外線が照射された際に、指示マーク１９は有色発光しないため見えないが、複数の機能表示部１５ａのうち、選択領域１８に対応する機能表示部１５ａのみが有色発光するので、この有色発光した機能表示１５ａのみを見えることができる。
【００４８】
また、上述した実施形態では、第２表示装置として複数の機能表示１５ａを有する機能表示部６に適用した場合について述べたが、必ずしも機能表示部６である必要はなく、図形や模様、あるいは絵などのグラフィック表示を選択して表示するものにも適用することができる。
【００４９】
さらに、上述した実施形態では、腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計である必要はなく、携帯電話機、自動車の計器類などの電子機器にも広く適用することができる。
【００５０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５１】
（付記）
請求項１に記載の発明は、紫外線に反応して有色発光する複数の表示部が設けられた表示部材と、この表示部材の上方に回転可能に配置され、表面に紫外線を遮断する透明な紫外線遮光層が、前記複数の表示部の一部に選択的に対応する選択領域を除いて、設けられた透明な回転部材と、この透明な回転部材の上方から前記表示部材に向けて紫外線を照射する発光素子と、を備えていることを特徴とする表示装置である。
【００５２】
請求項２に記載の発明は、請求項１に記載の表示装置において、前記透明な紫外線遮光層の上面には、前記選択領域を指示するための指示マークが設けられていることを特徴とする表示装置である。
【００５３】
請求項３に記載の発明は、請求項２に記載の表示装置において、前記複数の表示部は、前記透明な紫外線遮光層の上方から外部光が照射された際に、前記複数の表示部のすべてが前記透明な紫外線遮光層および前記選択領域を通して見えると共に、前記選択領域に対応する表示部が前記指示マークによって指示され、また前記透明な紫外線遮光層の上方から紫外線が照射された際に、前記複数の表示部のうち、前記選択領域に対応する表示部のみが有色発光して見えることを特徴とする表示装置である。
【００５４】
請求項４に記載の発明は、請求項１〜請求項３のいずれかに記載の表示装置において、前記複数の表示部は、前記表示部材の周縁部に沿って設けられた第１表示部と、この第１表示部の領域内における予め定められた領域に設けられた第２表示部とを有し、前記回転部材は前記第２表示部の上方に対応して配置されていることを特徴とする表示装置である。
【００５５】
請求項５に記載の発明は、請求項１〜請求項４に記載の表示装置を備えていることを特徴とする時計である。
【００５６】
請求項６に記載の発明は、請求項５に記載の時計において、前記表示装置の前記表示部材は文字板であり、前記第１表示部は前記文字板の周縁部に沿って設けられた複数の時字であり、前記第２表示部は前記第１表示部の領域内における予め定められた領域に設けられた複数の機能表示であることを特徴とする時計である。
【符号の説明】
【００５７】
１  腕時計ケース
２  時計ガラス
４  時計モジュール
５  時刻表示部
６  機能表示部
８  時計ムーブメント
１０  指針
１１  透明な回転板
１２  文字板
１４  複数の時字
１５  機能表示領域
１５ａ  複数の機能表示
１７  透明な紫外線遮光層
１８  透明な選択領域
１９  指示マーク
２０  発光素子
【図１】
2014098641.tif 000003
【図２】
2014098641.tif 000004
【図３】
2014098641.tif 000005
【図４】
2014098641.tif 000006
【図５】
2014098641.tif 000007